【手続補正書】
【提出日】平成26年2月6日(2014.2.6)
【手続補正１】
【補正対象書類名】特許請求の範囲
【補正対象項目名】全文
【補正方法】変更
【補正の内容】
【特許請求の範囲】
【請求項１】
オペレータ操作に応じてドロアを開放させる売上データ処理装置であって、
ドロアを解放させる複数のファンクション操作の操作種毎に、ドロア開放操作を許可する範囲を制限する制限情報を記憶する記憶手段と、
オペレータにより操作される各種ファンクション操作の中で、ドロアを開放させる操作種のファンクション操作については、そのファンクション操作における制限情報を前記記憶手段から取得する取得手段と、
オペレータにより操作される前記操作種のファンクション操作の操作状況を、前記取得手段で取得された制限情報と比較する比較手段と、
前記比較手段での比較結果に応じて、前記ファンクション操作の操作状況が前記制限の範囲外にあって異常か否かを検出する異常検出手段と、
を具備したことを特徴とする売上データ処理装置。
【請求項２】
前記ファンクション操作の操作種毎に、そのファンクション操作に応じたドロア開放時間の開放履歴を記憶し、
前記記憶手段は、前記ファンクション操作の操作種毎での前記開放履歴のドロア開放時間に基づいて、当該ファンクション操作の操作種に対応する標準となるドロア解放時間を、前記ドロア開放操作を許可する範囲を制限する制限情報として記憶する、
ことを特徴とする請求項１に記載の売上データ処理装置。
【請求項３】
前記ファンクション操作の操作種毎に、所定期間毎でのそのファンクション操作の操作回数の履歴を記憶し、
前記記憶手段は、前記ファンクション操作の操作種毎での前記操作回数に基づいて、当該ファンクション操作の操作種に対応する標準となる操作回数を、前記操作を許可する操作回数の範囲を制限する制限情報として記憶する、
ことを特徴とする請求項１又は２に記載の売上データ処理装置。
【請求項４】
前記記憶手段は、前記各ファンクション操作の操作種毎の制限情報を、複数のオペレータ毎に夫々記憶し、
前記取得手段は、当該売上データ処理装置を操作するオペレータを特定し、その特定されたオペレータにおける前記各ファンクション操作の操作種毎の制限情報を前記記憶手段から取得する、
ことを特徴とする請求項１〜３の何れかに記載の売上データ処理装置。
【請求項５】
オペレータ操作に応じてドロアを開放させる売上データ処理装置であって、
複数のオペレータ毎に、ドロアを開放させる操作に対して許可する操作範囲を制限する制限情報を記憶する記憶手段と、
当該売上データ処理装置を操作するオペレータを特定し、その特定されたオペレータにおける制限情報を前記記憶手段から取得する取得手段と、
オペレータによりドロアを開放する操作が行われた際は、そのオペレータによるドロアを開放する操作状況を、前記取得手段で取得された制限情報と比較する比較手段と、
前記比較手段での比較結果に応じて、前記ドロアを開放する操作の操作状況が前記制限の範囲外にあって異常か否かを検出する異常検出手段と、
を具備したことを特徴とする売上データ処理装置。
【請求項６】
前記ドロアを開放させる操作は、ドロアを開放させる操作種のファンクション操作であり、
前記比較手段は、オペレータにより操作される各種ファンクション操作の中で、ドロアを開放させる操作種のファンクション操作について、そのオペレータにより操作される当該ファンクション操作の操作状況を、前記取得手段で取得された制限情報と比較する、
ことを特徴とする請求項５に記載の売上データ処理装置。
【請求項７】
前記各オペレータ毎に、前記ドロア開放させる操作に応じたドロア開放時間の開放履歴を記憶し、
前記記憶手段は、前記オペレータ毎での前記開放履歴のドロア開放時間に基づいて、当該オペレータに対応する標準となるドロア解放時間を、前記ドロア開放操作を許可する範囲を制限する制限情報として記憶する、
ことを特徴とする請求項５又は６に記載の売上データ処理装置。
【請求項８】
前記オペレータ毎に、所定期間毎での前記ドロア開放させる操作の操作回数の履歴を記憶し、
前記記憶手段は、前記オペレータ毎での前記操作回数に基づいて、当該オペレータに対応する標準となる操作回数を、前記操作を許可する操作回数の範囲を制限する制限情報として記憶する、
ことを特徴とする請求項５〜７の何れかに記載の売上データ処理装置。
【請求項９】
前記制限情報は、前記ドロアを開放させる操作を行ったことで前記ドロアを開放してから閉じるまでの開閉時間として許可可能な時間の範囲を制限する情報、あるいは前記ドロアを開放させる操作を許可する操作回数の範囲を制限する情報である、
ことを特徴とする請求項１又は５に記載の売上データ処理装置。
【請求項１０】
オペレータ操作に応じてドロアを開放させる売上データ処理装置のコンピュータを制御するためのプログラムであって、
前記コンピュータを、
ドロアを解放させる複数のファンクション操作の操作種毎に、ドロア開放操作を許可する範囲を制限する制限情報を記憶する記憶手段、
オペレータにより操作される各種ファンクション操作の中で、ドロアを開放させる操作種のファンクション操作については、そのファンクション操作における制限情報を前記記憶手段から取得する取得手段、
オペレータにより操作される前記操作種のファンクション操作の操作状況を、前記取得手段で取得された制限情報と比較する比較手段、
前記比較手段での比較結果に応じて、前記ファンクション操作の操作状況が前記制限の範囲外にあって異常か否かを検出する異常検出手段、
として機能させるようにしたコンピュータ読み取り可能なプログラム。
【請求項１１】
オペレータ操作に応じてドロアを開放させる売上データ処理装置のコンピュータを制御するためのプログラムであって、
前記コンピュータを、
複数のオペレータ毎に、ドロアを開放させるファンクション操作に対して許可する操作範囲を制限する制限情報を記憶する記憶手段、
当該売上データ処理装置を操作するオペレータを特定し、その特定されたオペレータにおける制限情報を前記記憶手段から取得する取得手段、
オペレータにより操作される各種ファンクション操作の中で、ドロアを開放させる操作種のファンクション操作については、そのオペレータにより操作される当該ファンクション操作の操作状況を、前記取得手段で取得された制限情報と比較する比較手段、
前記比較手段での比較結果に応じて、前記ファンクション操作の操作状況が前記制限の範囲外にあって異常か否かを検出する異常検出手段、
として機能させるようにしたコンピュータ読み取り可能なプログラム。
【手続補正２】
【補正対象書類名】明細書
【補正対象項目名】０００８
【補正方法】変更
【補正の内容】
【０００８】
請求項１記載の発明は、オペレータ操作に応じてドロアを開放させる売上データ処理装置であって、ドロアを解放させる複数のファンクション操作の操作種毎に、ドロア開放操作を許可する範囲を制限する制限情報を記憶する記憶手段と、オペレータにより操作される各種ファンクション操作の中で、ドロアを開放させる操作種のファンクション操作については、そのファンクション操作における制限情報を前記記憶手段から取得する取得手段と、オペレータにより操作される前記操作種のファンクション操作の操作状況を、前記取得手段で取得された制限情報と比較する比較手段と、前記比較手段での比較結果に応じて、前記ファンクション操作の操作状況が前記制限の範囲外にあって異常か否かを検出する異常検出手段と、を具備したことを特徴とする。
請求項５記載の発明は、オペレータ操作に応じてドロアを開放させる売上データ処理装置であって、複数のオペレータ毎に、ドロアを開放させる操作に対して許可する操作範囲を制限する制限情報を記憶する記憶手段と、当該売上データ処理装置を操作するオペレータを特定し、その特定されたオペレータにおける制限情報を前記記憶手段から取得する取得手段と、オペレータによりドロアを開放する操作が行われた際は、そのオペレータによるドロアを開放する操作状況を、前記取得手段で取得された制限情報と比較する比較手段と、前記比較手段での比較結果に応じて、前記ドロアを開放する操作の操作状況が前記制限の範囲外にあって異常か否かを検出する異常検出手段と、を具備したことを特徴とする。